(57)【要約】      （修正有）【課題】作業性を確保しつつ、端子部を回路基板の端面側に近づけて、機器の小型化を達成する。【解決手段】回路基板１の端縁側に設けられた一または複数の端子接続孔が、直径が大きい上側の大孔２１と直径が小さい下側の小孔を少なくとも有し、大孔２１および小孔のうちの少なくとも大孔２１が回路基板１の端面に切れ目を有するように回路基板サイズが縮小されているため、フレキシブル配線基板の端子部を回路基板１の端面側に近づけることができて、機器の小型化を達成することができる。しかも、導電部材としてのはんだボール３が脱落しないように、端子接続孔の上側の大孔２１とその大孔２１の回路基板１の端面への切れ目の寸法や大孔と小孔の段差面の状態などを調整すれば作業性を良好に確保することができる。【選択図】図２
2013201246.tif 000002
【特許請求の範囲】
【請求項１】
回路基板の端縁側に一または複数の端子接続孔が設けられ、該端子接続孔は、直径が大きい上側の大孔と直径が小さい下側の小孔を少なくとも有し、該大孔および該小孔のうちの少なくとも該大孔が該回路基板の端面に切れ目を有し、該小孔内に下側から挿入される第１端子と、該大孔および該小孔のうちの少なくとも該小孔の内面に設けられた第２端子とが導電部材で電気的に接続されている端子接続構造。
【請求項２】
前記大孔の前記回路基板の端面への切れ目は、前記導電部材としてのはんだボールの直径よりも狭く構成されている請求項１に記載の端子接続構造。
【請求項３】
前記大孔および前記小孔のうちの少なくとも該大孔の前記回路基板の端面への切れ目は、各孔の直径よりも小さく構成されている請求項１に記載の端子接続構造。
【請求項４】
前記大孔の前記回路基板の端面への切れ目は、前記導電部材としてのはんだボールの直径よりも狭く構成され、前記小孔の該回路基板の端面への切れ目は、該小孔の直径よりも小さく構成されている請求項１に記載の端子接続構造。
【請求項５】
前記大孔および前記小孔は同心円状に形成されているかまたは、該小孔の中心が該大孔の中心よりも前記回路基板の端面側にずれている請求項１に記載の端子接続構造。
【請求項６】
前記大孔の前記回路基板の端面への切れ目は、該大孔の直径と同一の寸法で回路基板の端面に開口部として形成されている請求項１に記載の端子接続構造。
【請求項７】
前記大孔の前記回路基板の端面への切れ目は、該大孔の直径と同一の寸法で回路基板の端面に開口部として形成され、前記小孔の該回路基板の端面への切れ目は、該小孔の直径よりも小さく形成されている請求項１に記載の端子接続構造。
【請求項８】
前記小孔の前記回路基板の端面への切れ目は、該小孔の直径と同一の寸法で回路基板の端面に開口部として形成されている請求項１に記載の端子接続構造。
【請求項９】
前記小孔内に下側から挿入される第１端子の挿入寸法は、該小孔の深さ寸法よりも短く、該小孔上に前記導電部材としてのはんだボールが搭載されたときに該はんだボールの底面にその先端が達しない寸法である請求項１に記載の端子接続構造。
【請求項１０】
前記小孔内に下側から挿入される第１端子は、該小孔上に前記導電部材としてのはんだボールが搭載されたときに、前記回路基板の端面側に位置して該はんだボールの底面に少なくとも到達する寸法である請求項１に記載の端子接続構造。
【請求項１１】
前記大孔と前記小孔の段差は、平坦面であるかまたは、すり鉢状に湾曲して構成されて最も低い位置に該小孔が設けられている請求項１に記載の端子接続構造。
【請求項１２】
前記大孔と前記小孔の段差は、前記回路基板の端面側が該端面以外よりも高く構成されている請求項１に記載の端子接続構造。
【請求項１３】
前記大孔と前記小孔の段差の小孔外周部の一部または全部に前記導電部材としてのはんだボールの脱落防止用凹部が形成されている請求項１に記載の端子接続構造。
【請求項１４】
請求項１から１３のいずれかに記載の端子接続構造により、前記回路基板の外周端縁部における一または複数の端子接続孔内壁の前記第１端子と、自動焦点ユニットの駆動部およびシャッタ開閉機構の少なくともいずれかに接続された前記第２端子とが電気的に接続されているカメラモジュール。
【発明の詳細な説明】
【技術分野】
【０００１】
本発明は、接続端子と回路基板をはんだで電気的に接続する端子接続構造および、この接続構造が用いられ、益々小型薄型化する通信機器を始めとする携帯端末装置に用いられる固体撮像装置を搭載したカメラモジュールに関する。
【背景技術】
【０００２】
この種の従来のカメラモジュールにおいて、モジュールの接続端子と回路基板をはんだで電気的に接続する接続構造について特許文献１に開示されている。
【０００３】
図８は、特許文献１に開示されている従来のカメラモジュールの要部構成例を示す縦断面図である。
【０００４】
図８において、従来のカメラモジュール１００において、基板１０１の一方面上には、撮像素子１０２とこの撮像素子１０２の周囲にチップ部品１０３が搭載され、撮像素子１０２とチップ部品１０３を囲むように内ケース１０４が取り付けられている。内ケース１０４は箱形に形成され、撮像素子１０２の光軸上に開口孔１０４ａが設けられ、開口孔１０４ａの内面に赤外線カット用のフィルタ１０５が封着されている。
【０００５】
基板１０１に内ケース１０４を気密に接着することにより、基板１０１上で撮像素子１０２およびチップ部品１０３が搭載された領域は外部から遮断された領域となっている。このように、撮像素子１０２が搭載された領域を外部から遮断することにより、撮像素子１０２が搭載されている領域内に外部から塵埃などが侵入することを防止し、組立工程または組立工程後に、撮像素子１０２の受光面に異物が付着して製品不良となることを防止している。
【０００６】
この内ケース１０４に封着された赤外線カット用のフィルタ１０５の光入射側には、自動焦点ユニット１０６が配置されている。この自動焦点ユニット１０６には撮像光学系と、撮像光学系を光軸方向に微動させてフォーカス位置に位置合わせする駆動部とが内蔵されている。この自動焦点ユニット１０６は、取付部１０７と、基板１０１の一方面上に立設された支持ロッド１０８を介して、撮像素子１０２の光軸と撮像光学系の光軸とを一致させて基板１０１に支持されている。この自動焦点ユニット１０６に内蔵される駆動部としては、電動モータまたは圧電素子を使用することができる。
【０００７】
この自動焦点ユニット１０６の光入射側にはシャッタ１０９が配置されている。このシャッタ１０９も自動焦点ユニット１０６と同様に取付部１０７に支持されている。この取付部１０７には自動焦点ユニット１０６に内蔵されている駆動部に通電するための配線と、シャッタ１０９の開閉機構に通電するための配線が設けられ、取付部１０７の外ケース１１０に対向する側面にこれらの配線に接続される端子１０７ａが形成されている。
【０００８】
外ケース１１０は、内ケース１０４、および内ケース１０４の外側に配置された自動焦点ユニット１０６およびシャッタ１０９などを囲むように基板１０１に接着固定されている。外ケース１１０のシャッタ１０９に面する部位には入射孔１１０ａが設けられている。
【０００９】
この従来のカメラモジュール１００は、基板１０１自体に、カメラモジュール１００を実装する実装基板に形成された自動焦点ユニット１０６の駆動部への通電用の接続端子と、シャッタ１０９の開閉機構に通電するための接続端子が設けられている。フレキシブル配線基板１１１によりこれらの接続端子と駆動部および開閉機構とを電気的に接続する構成となっている。
【００１０】
カメラモジュール１００では、外ケース１１０の内面に沿ってフレキシブル配線基板１１１を配置し、フレキシブル配線基板１１１により取付部１０７と基板１０１とを電気的に接続している。
【００１１】
フレキシブル配線基板１１１は電気的絶縁性を有するベースフィルムの片面に配線パターンが形成されたものである。配線パターンの一端側は取付部１０７に形成された端子１０７ａにはんだ付けまたは導電性接着剤などを用いて接続され、配線パターンの他端側は、基板１０１に設けられた端子接続孔１０１ａ内に挿入され、基板１０１の裏面に設けられた接続端子１１２に電気的に接続されている。端子接続孔１０１ａに挿入されたフレキシブル配線基板１１１の端子部１１１ａと接続端子１１２との電気的接続は、端子接続孔１０１ａに充填されたはんだまたは導電性接着剤などの導電材１１３を介して為されている。
【００１２】
図９（ａ）および図９（ｂ）は、図８のフレキシブル配線基板１１１の端子部１１１ａと基板１０１の接続端子１１２の電気的接続時の状態を示す概略斜視図である。図１０は、図８の基板１０１の端子接続孔１０１ａとはんだボールの平面図である。図１１は図１０のＡＡ’線縦断面図である。図１２は、図８の基板１０１の端子接続孔１０１ａとはんだボールとの位置関係の他の事例を示す平面図である。図１３は、図１１に対応したはんだ付け後のＡＡ’線縦断面図である。
【００１３】
図９（ａ）に示すように、基板１０１上に外ケース１１０が装着されたカメラモジュール１００を上下逆さまにして、フレキシブル配線基板１１１の先端部の端子部１１１ａが基板１０１の端子接続孔１０１ａ内に挿入された状態で、その端子部１１１ａと端子接続孔１０１ａの内壁の接続端子１１２とをはんだにより電気的に接続する。この場合、図１０および図１１に示すように基板１０１の端子接続孔１０１ａは直径が異なる２段の孔になっており、直径が小さい孔上にはんだボール１１４が載置される。この場合は図１０のように直径が大きい孔と小さい孔とは同心円状に形成されているため、はんだボール１１４は端子接続孔１０１ａの直径が大きい孔の中心位置に置かれている。基板１０１の端子接続孔１０１ａとはんだボール１１４との位置関係の変形例としては、図１２のように端子接続孔１０１ａの直径が大きい孔に対して直径が小さい孔が基板１０１の端面側にずれている場合が示されている。この場合、はんだボール１１４は端子接続孔１０１ａの直径が大きい孔の中心位置から基板１０１の端面側にずれて置かれている。
【００１４】
次に、図９（ａ）に示すようにはんだボール１１４に対してレーザ照射装置１１５からのレーザ光１１５ａによりはんだボール１１４を溶かして、図１３に示すようにフレキシブル配線基板１１１の先端部の端子部１１１ａと、基板１０１の端子接続孔１０１ａの内壁の接続端子１１２とをはんだ１１４ａにより電気的に接続する。
【先行技術文献】
【特許文献】
【００１５】
【特許文献１】特開２００６−３１０９４９号公報
【発明の概要】
【発明が解決しようとする課題】
【００１６】
特許文献１に開示されている従来のカメラモジュール１００では、更なる小型化が要求されている。図１０に示すようにフレキシブル配線基板１１１の先端部の端子部１１１ａから基板１０１の端までの距離が大きいのに対して、図１２に示すように端子接続孔１０１ａの直径が大きい孔に対して直径が小さい孔を基板１０１の端面側にずらすことにより、端子部１１１ａから基板１０１の端までの距離を小さく抑えている。
【００１７】
ところが、従来のカメラモジュール１００の更なる小型化に対して、フレキシブル配線基板１１１の先端部の端子部１１１ａから基板１０１の端までの距離に関して、例えば端子接続孔１０１ａの直径から基板１０１の端までの距離Ｒは、基板１０１の強度を保つために基板１０１の厚み程度の距離が必要であることから、機器の小型化を阻害している。
【００１８】
本発明は、上記従来の問題を解決するもので、作業性を確保しつつ、端子部を回路基板の端面側に近づけて、機器の小型化を達成することができる端子接続構造および、この接続構造を用いたカメラモジュールを提供することを目的とする。
【課題を解決するための手段】
【００１９】
本発明の端子接続構造は、回路基板の端縁側に一または複数の端子接続孔が設けられ、該端子接続孔は、直径が大きい上側の大孔と直径が小さい下側の小孔を少なくとも有し、該大孔および該小孔のうちの少なくとも該大孔が該回路基板の端面に切れ目を有し、該小孔内に下側から挿入される第１端子と、該大孔および該小孔のうちの少なくとも該小孔の内面に設けられた第２端子とが導電部材で電気的に接続されているものであり、そのことにより上記目的が達成される。
【００２０】
また、好ましくは、本発明の端子接続構造における大孔の前記回路基板の端面への切れ目は、前記導電部材としてのはんだボールの直径よりも狭く構成されている。
【００２１】
さらに、好ましくは、本発明の端子接続構造において、前記大孔および前記小孔のうちの少なくとも該大孔の前記回路基板の端面への切れ目は、各孔の直径よりも小さく構成されている。
【００２２】
さらに、好ましくは、本発明の端子接続構造における大孔の前記回路基板の端面への切れ目は、前記導電部材としてのはんだボールの直径よりも狭く構成され、前記小孔の該回路基板の端面への切れ目は、該小孔の直径よりも小さく構成されている。
【００２３】
さらに、好ましくは、本発明の端子接続構造において、前記大孔および前記小孔は同心円状に形成されているかまたは、該小孔の中心が該大孔の中心よりも前記回路基板の端面側にずれている。
【００２４】
さらに、好ましくは、本発明の端子接続構造における大孔の前記回路基板の端面への切れ目は、該大孔の直径と同一の寸法で回路基板の端面に開口部として形成されている。
【００２５】
さらに、好ましくは、本発明の端子接続構造における大孔の前記回路基板の端面への切れ目は、該大孔の直径と同一の寸法で回路基板の端面に開口部として形成され、前記小孔の該回路基板の端面への切れ目は、該小孔の直径よりも小さく形成されている。
【００２６】
さらに、好ましくは、本発明の端子接続構造において、前記小孔の前記回路基板の端面への切れ目は、該小孔の直径と同一の寸法で回路基板の端面に開口部として形成されている。
【００２７】
さらに、好ましくは、本発明の端子接続構造において、前記小孔内に下側から挿入される第１端子の挿入寸法は、該小孔の深さ寸法よりも短く、該小孔上に前記導電部材としてのはんだボールが搭載されたときに該はんだボールの底面にその先端が達しない寸法である。
【００２８】
さらに、好ましくは、本発明の端子接続構造において、前記小孔内に下側から挿入される第１端子は、該小孔上に前記導電部材としてのはんだボールが搭載されたときに、前記回路基板の端面側に位置して該はんだボールの底面に少なくとも到達する寸法である。
【００２９】
さらに、好ましくは、本発明の端子接続構造において、前記大孔と前記小孔の段差は、平坦面であるかまたは、すり鉢状に湾曲して構成されて最も低い位置に該小孔が設けられている。
【００３０】
さらに、好ましくは、本発明の端子接続構造において、前記大孔と前記小孔の段差は、前記回路基板の端面側が該端面以外よりも高く構成されている。
【００３１】
さらに、好ましくは、本発明の端子接続構造において、前記大孔と前記小孔の段差の小孔外周部の一部または全部に前記導電部材としてのはんだボールの脱落防止用凹部が形成されている。
【００３２】
本発明のカメラモジュールは、本発明の上記端子接続構造により、前記回路基板の外周端縁部における一または複数の端子接続孔内壁の前記第１端子と、自動焦点ユニットの駆動部およびシャッタ開閉機構の少なくともいずれかに接続された前記第２端子とが電気的に接続されているであり、そのことにより上記目的が達成される。
【００３３】
上記構成により、以下、本発明の作用を説明する。
【００３４】
本発明においては、回路基板の端縁側に一または複数の端子接続孔が設けられ、この端子接続孔は、直径が大きい上側の大孔と直径が小さい下側の小孔を少なくとも有し、大孔および小孔のうちの少なくとも大孔が回路基板の端面に切れ目を有し、小孔内に下側から挿入される第１端子と、大孔および小孔のうちの少なくとも小孔の内面に設けられた第２端子とが導電部材で電気的に接続されている。
【００３５】
これによって、大孔および小孔のうちの少なくとも大孔が回路基板の端面に切れ目を有するように回路基板サイズが縮小されているので、端子部を回路基板の端面側に近づけて、機器の小型化を達成することが可能となる。また、導電部材としてのはんだボールが脱落しないように大孔や小孔の回路基板の端面への切れ目の寸法や大孔と小孔の段差面の状態などを調整することにより作業性を良好に確保可能となる。
【発明の効果】
【００３６】
以上により、本発明によれば、回路基板の端縁側に設けられた一または複数の端子接続孔が、直径が大きい上側の大孔と直径が小さい下側の小孔を少なくとも有し、大孔および小孔のうちの少なくとも大孔が回路基板の端面に切れ目を有するように回路基板サイズが縮小されているため、端子部を回路基板の端面側に近づけて、機器の小型化を達成することができる。しかも、導電部材としてのはんだボールが脱落しないように、端子接続孔の大孔や小孔の回路基板の端面への切れ目の寸法や大孔と小孔の段差面の状態などを調整すれば作業性を良好に確保することができる。
【図面の簡単な説明】
【００３７】
【図１】（ａ）は、本発明の実施形態１におけるカメラモジュールに用いる回路基板の裏面側を上にした斜視図、（ｂ）は回路基板の表面側を上にした斜視図、（ｃ）はフレキシブル配線基板の先端部の端子部を挿入するための回路基板の端子接続孔の拡大斜視図、（ｄ）は回路基板の端子接続孔の縦断面図である。
【図２】図１の端子接続孔とはんだボールとの位置関係を模式的に示す平面図である。
【図３】図２に対応したはんだ付け後のＤＤ’線縦断面図である。
【図４】図２の端子接続孔とはんだボールとの位置関係の他の事例を模式的に示す平面図である。
【図５】図４の端子接続孔とはんだボールとの位置関係を模式的に示す斜視図である。
【図６】図４の端子接続孔とはんだボールとの位置関係の更に他の事例を模式的に示す平面図である。
【図７】図６の端子接続孔とはんだボールとの位置関係に端子を加えた場合の事例を模式的に示す斜視図である。
【図８】特許文献１に開示されている従来のカメラモジュールの要部構成例を示す縦断面図である。
【図９】（ａ）および（ｂ）は、図８のフレキシブル配線基板の端子部と基板の接続端子の電気的接続時の状態を示す概略斜視図である。
【図１０】図８の基板の端子接続孔とはんだボールの平面図である。
【図１１】図１０のＡＡ’線縦断面図である。
【図１２】図８の基板の端子接続孔とはんだボールとの位置関係の他の事例を示す平面図である。
【図１３】図１１に対応したはんだ付け後のＡＡ’線縦断面図である。
【発明を実施するための形態】
【００３８】
以下に、本発明の端子接続構造およびこれを用いたカメラモジュールの実施形態１について図面を参照しながら詳細に説明する。なお、各図における構成部材のそれぞれの厚みや長さなどは図面作成上の観点から、図示する構成に限定されるものではない。
【００３９】
本実施形態１のカメラモジュールは、回路基板上に、撮像素子がワイヤボンドやフリップチップなどで回路基板と電気的に接続されて搭載され、撮像素子を覆うようにケース部が設けられている。ケース部内にはレンズ部が収容されていてもよいし、ケース部外にレンズ部が設けられていてもよい。ケース部外にレンズ部が設けられている場合には、それらを覆う更なるケース部が設けられている。レンズ部と撮像素子とが上下に対応して、ケース部の窓部からの画像光がレンズ部により撮像素子に集光されるようになっている。
【００４０】
自動焦点ユニットによりレンズ部を上下に移動させることができる。自動焦点ユニットに内蔵される駆動部には電動モータまたは圧電素子などが使用される。自動焦点ユニットの駆動部への通電用の接続端子と、シャッタ開閉機構に通電するための接続端子が設けられ、フレキシブル配線基板の一端側によりこれらの接続端子と駆動部およびシャッタ開閉機構とを電気的に接続する構成となっている。フレキシブル配線基板の他端側の端子部は回路基板に設けられた端子接続孔内に挿入され、回路基板の裏面から端子接続孔内の接続端子とフレキシブル配線基板の端子部とがはんだや導電接着材などで電気的に接続されるようになっている。
【００４１】
本発明の端子接続構造は、回路基板の外周端部における複数の端子接続孔内の接続端子と、自動焦点ユニットの駆動部とシャッタ開閉機構に接続されたフレキシブル配線基板の端子部とを電気的に接続する接続構造について以下に説明する。
【００４２】
即ち、益々小型薄型化する通信機器を始めとする携帯端末装置に用いられる固体撮像装置（撮像素子）が搭載されたカメラモジュールに、回路基板と自動焦点ユニットの駆動部などとフレキシブル配線基板を介して回路基板側で接続する端子接続構造が用いられ、端子接続構造で接続端子と回路基板をはんだで電気的に接続している。これについて、以下詳細に説明する。
【００４３】
（実施形態１）
図１（ａ）は、本発明の実施形態１におけるカメラモジュールに用いる回路基板の裏面側を上にした斜視図、図１（ｂ）は回路基板の表面側を上にした斜視図、図１（ｃ）はフレキシブル配線基板の先端部の端子部を挿入するための回路基板の端子接続孔の拡大斜視図、図１（ｄ）は回路基板の端子接続孔の縦断面図である。
【００４４】
図１（ａ）〜図１（ｄ）に示すように、回路基板１の端縁側に一または複数（ここでは２個）の端子接続孔２が貫通して設けられている。端子接続孔２は、ここでは段差２ａのみで１段であるが、複数段になっていてもよい。この場合に、端子接続孔２の直径が大きい上側の大孔に対して直径が小さい下側の小孔を回路基板１の端面側にずらすことにより、フレキシブル配線基板の端子部（図示せず）から回路基板１の端面までの距離を小さく抑えている。ここでは、端子接続孔２の直径が大きい上側の大孔と、直径が小さい下側の小孔とが共に回路基板１の端面で切れ目を有して開口している。ところが、直径が小さい下側の小孔は回路基板１の端面で開口するまで、下側の小孔の中心軸が上側の大孔の中心軸から回路基板１の端面側にずれていてもよいが、ずれていなくてもよい。即ち、直径が小さい下側の小孔は回路基板１の端面で切れ目を有して開口していなくてもよい。直径が小さい下側の小孔から接続端子とフレキシブル配線基板の端子部が挿入されてはんだで電気的に接続されるようになっている。
【００４５】
要するに、本実施形態１の端子接続構造は、回路基板１の端縁側に一または複数の端子接続孔２が設けられ、端子接続孔２は、直径が大きい上側の大孔と直径が小さい下側の小孔を少なくとも有し、大孔および小孔のうちの少なくとも大孔が回路基板１の端面に切れ目としての開口部を有し、小孔内に下側から挿入される第１端子としてのフレキシブル配線基板の端子部（図示せず）と、端子接続孔２の上下の大孔および小孔の内面に設けられた第２端子としての接続端子（図示せず）とをはんだで電気的に接続する。
【００４６】
図２は、図１の端子接続孔２とはんだボール３との位置関係を模式的に示す平面図である。
【００４７】
図２において、本実施形態１の端子接続構造１０において、端子接続孔２の直径が小さい下側の小孔上にはんだボール３が載置されている。端子接続孔２の直径が大きい上側の大孔２１の回路基板１の端面側は開口部２１ａで開口している。はんだボール３の直径寸法Ｂは開口部２１ａの開口寸法Ｃよりも大きく構成されている。逆に、開口部２１ａの開口寸法Ｃがはんだボール３の直径寸法Ｂよりも狭くなっている。これは、はんだボール３を端子接続孔２の直径が小さい下側の小孔上に載せたときに、直径が大きい上側の大孔２１の段差２１ｂからはんだボール３が外部に落ちない寸法関係になっている。
【００４８】
要するに、大孔および小孔のうちの少なくとも大孔の回路基板１の端面への切れ目は、導電部材としてのはんだボール３の直径よりも狭く構成されている。
【００４９】
または、大孔および小孔のうちの少なくとも大孔の回路基板１の端面への切れ目は、各孔の直径よりも小さく構成されている。
【００５０】
ここでは、大孔の回路基板１の端面への切れ目は、導電部材としてのはんだボール３の直径よりも狭く構成され、小孔の回路基板１の端面への切れ目は、小孔の直径よりも小さく構成されている。このはんだボール３の直径は、大孔の直径よりも小さく、小孔の直径よりも大きい。
【００５１】
また、段差２１ａは平坦面であってもよいが、段差２１ｂの構造がすり鉢状の凹部で構成され最も低い位置に、直径が小さい下側の小孔を形成してもよい。これによって、はんだボール３が端子接続孔２の直径が小さい下側の小孔から脱落しても再びはんだボール３は直径が小さい下側の小孔上に戻ってくる。
【００５２】
したがって、回路基板１のはんだ付け用孔の端子接続孔２を回路基板１の端面の切れ目（開口部２１ａ）の長さが上側の大孔２１の直径よりも小さい形（Ω形状）にすることにより、はんだ付け時にはんだボール３の大孔２１の段差２１ｂからの脱落を防止することができる。このとき、下側の小孔の長さよりも、後述するフレキシブル配線基板の先端部の端子部５の長さを、はんだボール３を置いたときに、その端子部５の先端部が接触してがたつかない程度に端子部５を短くすることにより、はんだボール３の位置を安定化させることができる。
【００５３】
要するに、小孔内に下側から挿入される第１端子としてのフレキシブル配線基板のなどの端子部の挿入寸法は、小孔の深さ寸法よりも短く、小孔上に導電部材としてのはんだボール３が搭載されたときにはんだボールの底面にその先端部が達しない寸法とする。
【００５４】
図３は、図２に対応したはんだ付け後のＤＤ’線縦断面図である。
【００５５】
図３に示すように、はんだボール３に対してレーザ照射装置からのレーザ光を照射してはんだボール３を溶かした溶融はんだ３ａにより、フレキシブル配線基板などの先端部の端子部５と、回路基板１の端子接続孔２の内壁を構成する接続端子４とを電気的に接続することができる。要するに、ここでは、回路基板１の外周端縁部における複数の端子接続孔２内面の接続端子４と、自動焦点ユニットの駆動部とシャッタ開閉機構に接続されたフレキシブル配線基板などの端子部５とを、下側の小孔内で溶融はんだ３ａにより電気的に接続している。
【００５６】
図４は、図２の端子接続孔とはんだボールとの位置関係の他の事例を模式的に示す平面図である。図５は、図４の端子接続孔とはんだボールとの位置関係を模式的に示す斜視図である。
【００５７】
図４および図５に示すように、本実施形態１の端子接続構造１１において、直径が小さい下側の小孔上にはんだボール３が載置されている。端子接続孔２の直径が大きい上側の大孔２２は平面視Ｕ字状の長穴であって、この大孔２２の回路基板１の端面側は開口部２２ａで長穴の直径の寸法で切れ目で開口している。はんだボール３が載っている直径が小さい下側の小孔は、回路基板１の端面側に開口部２２ｃで小孔の直径よりも小さい寸法で開口している。
【００５８】
このように、小孔の直径よりも小さい開口部２２ｃの寸法で開口しているため、はんだボール３は下側の小孔上から外部に落ちることはない。段差２２ｂは平坦面であってもよいが、段差２２ｂの構造がすり鉢状の凹部で構成され最も低い位置に、直径が小さい下側の孔を形成してもよい。これによって、はんだボール３を端子接続孔２の直径が小さい下側の小孔上に載せたときに、はんだボール３を端子接続孔２の直径が小さい下側の小孔から脱しても再びはんだボール３は直径が小さい下側の小孔上に戻ってくる。
【００５９】
これによって、回路基板１の壁面の切れ目（開口部２２ａ）の長さと、回路基板１の端子接続孔２の上側の大孔２２の直径が同じ形（平面視Ｕ字形状）の長孔とするため、フレキシブル配線基板の端子部５を回路基板１の端面に近くに設置できると共に、フレキシブル配線基板の端子部５を下側の小孔に開口部２２ｃから挿入し易い。
【００６０】
また、下側の小孔の形状を回路基板１の端面の切れ目（開口部２２ｃ）の長さが回路基板１の下側の小孔の直径よりも小さい形状（Ω形状）にすることにより、はんだボール３の落下を防止することができる。
【００６１】
図６は、図４の端子接続孔とはんだボールとの位置関係の更に他の事例を模式的に示す平面図である。
【００６２】
図６に示すように、本実施形態１の端子接続構造１２において、直径が小さい下側の小孔上にはんだボール３が載置されるが、端子接続孔２の直径が大きい上側の大孔２２は平面視Ｕ字状の長穴であって、この大孔２２の回路基板１の端面側は開口部２２ａで長穴の直径の寸法で開口している。直径が小さい下側の小孔も平面視Ｕ字状の長穴であって、回路基板１の端面側に開口部２２ｄ（開口部２２ｄ＞開口部２２ｃ）で小孔の直径と同じ幅の長穴寸法で開口している。
【００６３】
要するに、大孔の回路基板１の端面への切れ目は、大孔の直径と同一の寸法で回路基板１の端面に開口部２２ａを形成している。また、小孔の回路基板１の端面への切れ目は、小孔の直径と同一の寸法で回路基板１の端面に開口部２２ｄを形成している。
【００６４】
このように、小孔の直径と同じ幅寸法の開口部２２ｄで開口しているため、はんだボール３は下側の小孔上から外部に落ちるまでの多少の距離を設けている。段差２２ｂは平坦面であってもよいが、段差２２ｂの構造がすり鉢状の凹部で構成され、最も低い位置に、直径が小さい下側の小孔を形成してもよい。特に、段差２２ｂの回路基板１の端面側を高く構成すればはんだボール３は段差２２ｂから外部に落下しにくくなる。これによって、はんだボール３を端子接続孔２の直径が小さい下側の小孔上に載せたときに、はんだボール３を端子接続孔２の直径が小さい下側の小孔から脱しても再びはんだボール３は下方の小孔上に戻ってくる。
【００６５】
図７は、図６の端子接続孔とはんだボールとの位置関係に端子部寸法を加えた場合の事例を模式的に示す斜視図である。
【００６６】
図７に示すように、本実施形態１の端子接続構造１３において、直径が小さい下側の小孔上にはんだボール３が載置される。端子接続孔２の直径が大きい上側の大孔２２は平面視Ｕ字状の長穴であって、この大孔２２の回路基板１の端面側は開口部２２ａで長穴の直径の寸法で開口している。直径が小さい下側の小孔も平面視Ｕ字状の長穴であって、回路基板１の端面側に開口部２２ｄ（開口部２２ｄ＞開口部２２ｃ）で小孔の直径と同じ幅の寸法で開口している。このように、小孔の直径と同じ幅寸法の開口部２２ｄで開口しているため、はんだボール３は下側の小孔上から外部に落ちるのに距離を設けてもよいが、更に回路基板１の端面との距離を短くすると、段差２２ｂを平坦面の場合に、はんだボール３は段差２２ｂの開口部２２ａから外部に落下しやすくなるため、フレキシブル配線基板の端子部５の先端長さを多少長くして、はんだボール３の外側（落下する側）に位置させてはんだボール３の脱落を止める。
【００６７】
このように、はんだボール３を小孔上に置くと落下しやすく、はんだ付けの作業が困難になるので、フレキシブル配線基板の端子部５の先端長さを長くして、はんだボール３の落下を防止することができる。
【００６８】
以上により、本実施形態１によれば、回路基板１の端縁側に設けられた一または複数の端子接続孔２が、直径が大きい上側の大孔２１と直径が小さい下側の小孔を少なくとも有し、大孔２１および小孔のうちの少なくとも大孔２１が回路基板１の端面に切れ目を有するように回路基板サイズが縮小されているため、フレキシブル配線基板の端子部５を回路基板１の端面側に近づけることができて、機器の小型化を達成することができる。しかも、導電部材としてのはんだボール３が脱落しないように、端子接続孔２の上側の大孔２１とその大孔２１の回路基板１の端面への切れ目の寸法や大孔と小孔の段差面の状態などを調整すれば作業性を良好に確保することができる。
【００６９】
端子接続孔２の形状を、回路基板１の端面の切れ目（開口部）の長さと端子接続孔２の直径が同じ形状の平面視Ｕ字形状に形成することにより、端子接続孔２を回路基板１の端面に近く形成することができて小型化に寄与する。
【００７０】
ところが、回路基板１の端面の切れ目（開口部）の長さ寸法がはんだボール３の直径よりも大きい場合には、はんだ付け時に、はんだボール３が落下してしまう虞があり、はんだ付けの作業が困難になる。このため、回路基板１の端面の切れ目（開口部）の長さ寸法をはんだボール３の直径よりも小さくして、はんだ付けの作業時にはんだボール３が落下しないようにする。これによって、はんだ付け作業が効率的になる。この回路基板１の端面の切れ目（開口部）の長さ寸法をはんだボール３の直径よりも小さくする関係は、端子接続孔２の上側の大孔の端面の切れ目と下側の小孔の端面の切れ目とのうちの少なくとも上側の大孔の端面の切れ目であればよく、上側の大孔の端面の切れ目がはんだボール３の直径よりも小さければはんだボール３が落下することはない。
【００７１】
要するに、回路基板１の上側の大孔の切れ目（開口部）の長さが上側の大孔の直径よりも小さい形状（Ω形状）にし、その切れ目の幅がはんだボール３の直径より小さくすることにより、はんだ付けの作業性を確保しつつ、端子部５を回路基板１の端面の近くに設置することができて機器の小型化に貢献する構造とすることができる。
【００７２】
なお、本実施形態１では、特に説明しなかったが、上記各構成に加えて、大孔および小孔の段差の小孔外周部の一部または全部に導電部材としてのはんだボール３の脱落防止用凹部が形成されていてもよい。
【００７３】
なお、本実施形態１では、端子接続構造として、小孔内に下側から挿入される第１端子と、大孔および小孔の内面に設けられた第２端子とを導電部材としてのはんだで電気的に接続するように構成したが、これに限らず、端子接続構造として、小孔内に下側から挿入される第１端子と、大孔および小孔のうちの少なくとも小孔の内面に設けられた第２端子とを導電部材で電気的に接続するようにしてもよい。
【００７４】
以上のように、本発明の好ましい実施形態１を用いて本発明を例示してきたが、本発明は、この実施形態１に限定して解釈されるべきものではない。本発明は、特許請求の範囲によってのみその範囲が解釈されるべきであることが理解される。当業者は、本発明の具体的な好ましい実施形態１の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００７５】
本発明は、接続端子と回路基板をはんだで電気的に接続する端子接続構造および、この接続構造が用いられ、益々小型薄型化する通信機器を始めとする携帯端末装置に用いられる固体撮像装置を搭載したカメラモジュールの分野において、回路基板の端縁側に設けられた一または複数の端子接続孔が、直径が大きい上側の大孔と直径が小さい下側の小孔を少なくとも有し、大孔および小孔のうちの少なくとも大孔が回路基板の端面に切れ目を有するように回路基板サイズが縮小されているため、端子部を回路基板の端面側に近づけて、機器の小型化を達成することができる。しかも、導電部材としてのはんだボールが脱落しないように、端子接続孔の上側の大孔とその大孔の回路基板の端面への切れ目の寸法や大孔と小孔の段差面の状態などを調整すれば作業性を良好に確保することができる。
【符号の説明】
【００７６】
１  回路基板
２  端子接続孔
２ａ，２１ｂ，２２ｂ  段差
２１  直径が大きい上側の大孔
２１ａ、２２ａ、２２ｃ、２２ｄ  開口部
３  はんだボール
３ａ  溶融はんだ
４  端子接続孔２の内壁の接続端子（第２端子）
５  フレキシブル配線基板の先端部の端子部（第１端子）
１０〜１３  端子接続構造
【図６】
2013201246.tif 000003
【図１】
2013201246.tif 000004
【図２】
2013201246.tif 000005
【図３】
2013201246.tif 000006
【図４】
2013201246.tif 000007
【図５】
2013201246.tif 000008
【図７】
2013201246.tif 000009
【図８】
2013201246.tif 000010
【図９】
2013201246.tif 000011
【図１０】
2013201246.tif 000012
【図１１】
2013201246.tif 000013
【図１２】
2013201246.tif 000014
【図１３】
2013201246.tif 000015